【事件の表示】
　特願２０１２−２８１８３５「コンテンツ提供システム，サービス提供サーバ，情報端末，アプリケーションプログラム」拒絶査定不服審判事件〔平成２６年　７月　７日出願公開、特開２０１４−１２６９５３、請求項の数（１０）〕について、次のとおり審決する。
【結　論】
　原査定を取り消す。
　本願の発明は、特許すべきものとする。
【理　由】
第１　手続の経緯
　本願は、平成２４年１２月２５日の出願であって、平成２８年１０月１９日付けで拒絶理由通知がされたが、請求人からは応答がなく、平成２９年４月１８日付けで拒絶査定（原査定）がされ、これに対し、同年７月１６日に拒絶査定不服審判の請求がされると同時に、手続補正がされたものである。
第２　原査定の概要
　原査定（平成２９年４月１８日付け拒絶査定）の概要は次のとおりである。
　この出願の請求項１−１０に係る発明は、その出願前に日本国内又は外国において、頒布された刊行物１−２に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　＜引用文献等一覧＞
１．国際公開第２０１１／１３８８３０号
２．特開２００３−０３０１５６号公報
第３　本願発明
　本願請求項１−１０に係る発明（以下、それぞれ「本願発明１」−「本願発明１０」という。）は、平成２９年７月１６日付けの手続補正書で補正された特許請求の範囲の請求項１−１０に記載された事項により特定される発明であり、以下のとおりの発明である。
「【請求項１】
　Webサイトから情報端末にコンテンツを提供するネットワークにサービス提供サーバが接続されており、
　前記サービス提供サーバは、
　付加データを集積した付加データ用データベース，
　会員データを集積した会員データ用データベース，
　前記Webサイトとコンテンツとの対応関係を示す管理データ用データベース，
　前記各データベースにおける情報の読み出し，書き込みの管理を行う情報管理手段，
を備えており、
　前記情報管理手段は、
　前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して、前記オリジナルデータと個別に送信し、前記会員の情報端末から付加データを受信したときは、それを前記付加データ用データベースに保存し、
　前記情報端末は、
　前記Webサイトから受信した前記オリジナルデータ及び前記サービス提供サーバから受信した前記付加データを、会員の要求に対応して合成して出力するとともに、付加データに何らかの処理が施されたときは、該処理後の付加データを合成して出力するとともに、前記サービス提供サーバに送信するコンテンツ処理手段，
を備えたことを特徴とするコンテンツ提供システム。
　　【請求項２】
　Webサイトから情報端末にコンテンツを提供するネットワークにサービス提供サーバが接続されており、
　前記サービス提供サーバは、
　付加データを集積した付加データ用データベース，
　会員データを集積した会員データ用データベース，
　前記Webサイトとコンテンツとの対応関係を示す管理データ用データベース，
　前記各データベースにおける情報の読み出し，書き込みの管理を行う情報管理手段，
　前記情報端末からの要求に基づいて、対応する付加データを生成する付加データ生成手段，
を備えており、
　前記情報管理手段は、
　前記会員の情報端末から要求があったときは、前記管理データ用データベースを参照して、該当するWebサイトに該当するコンテンツのオリジナルデータの送信を要求するとともに、対応する付加データを前記付加データ用データベースから読み出すか、もしくは前記付加データ生成手段で生成して、前記オリジナルデータと個別に送信し、前記会員の情報端末から付加データを受信したときは、それを前記付加データ用データベースに保存し、
　前記情報端末は、
　前記Webサイトから受信した前記オリジナルデータ及び前記サービス提供サーバから受信した前記付加データを、会員の要求に対応して合成して出力するとともに、付加データに何らかの処理が施されたときは、該処理後の付加データを合成して出力するとともに、前記サービス提供サーバに送信し、会員が付加データの生成を要求したときは、その旨を前記サービス提供サーバに通知するコンテンツ処理手段，
を備えたことを特徴とするコンテンツ提供システム。
　　【請求項３】
　前記サービス提供サーバでは、前記オリジナルデータにおける音声変換可能な範囲を示す音声出力範囲表示データが、当該オリジナルデータの付加データとして、前記付加データ用データベースに保存されており、
　前記情報端末では、受信した前記音声出力範囲表示データに基づく音声出力範囲を前記オリジナルデータに合成して表示するとともに、会員による音声変換の指示があったときは、前記音声出力範囲のオリジナルデータを抽出して前記サービス提供サーバに送信し、　前記サービス提供サーバは、受信した抽出後のオリジナルデータを音声変換するとともに、変換した音声データを前記情報端末に送信し、
　前記情報端末では、受信した音声データを音声として出力することを特徴とする請求項２記載のコンテンツ提供システム。
　　【請求項４】
　請求項１記載のコンテンツ提供システムに含まれるサービス提供サーバであって、
　付加データを集積した付加データ用データベース，
　会員データを集積した会員データ用データベース，
　前記Webサイトとコンテンツとの対応関係を示す管理データ用データベース，
　前記各データベースにおける情報の読み出し，書き込みの管理を行う情報管理手段，
を備えており、
　前記情報管理手段は、
　前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して、前記オリジナルデータと個別に送信し、前記会員の情報端末から付加データを受信したときは、それを前記付加データ用データベースに保存することを特徴とするサービス提供サーバ。
　　【請求項５】
　請求項２記載のコンテンツ提供システムに含まれるサービス提供サーバであって、
　付加データを集積した付加データ用データベース，
　会員データを集積した会員データ用データベース，
　前記Webサイトとコンテンツとの対応関係を示す管理データ用データベース，
　前記各データベースにおける情報の読み出し，書き込みの管理を行う情報管理手段，
　前記情報端末からの要求に基づいて、対応する付加データを生成する付加データ生成手段，
を備えており、
　前記情報管理手段は、
　前記会員の情報端末から要求があったときは、前記管理データ用データベースを参照して、該当するWebサイトに該当するコンテンツのオリジナルデータの送信を要求するとともに、対応する付加データを前記付加データ用データベースから読み出すか、もしくは前記付加データ生成手段で生成して、前記オリジナルデータと個別に送信し、前記会員の情報端末から付加データを受信したときは、それを前記付加データ用データベースに保存することを特徴とするサービス提供サーバ。
　　【請求項６】
　請求項３記載のコンテンツ提供システムに含まれるサービス提供サーバであって、
　付加データを集積した付加データ用データベース，
　会員データを集積した会員データ用データベース，
　前記Webサイトとコンテンツとの対応関係を示す管理データ用データベース，
　前記各データベースにおける情報の読み出し，書き込みの管理を行う情報管理手段，
　前記情報端末からの要求に基づいて、対応する付加データを生成する付加データ生成手段，
を備えており、
　前記情報管理手段は、
　前記会員の情報端末から要求があったときは、前記管理データ用データベースを参照して、該当するWebサイトに該当するコンテンツのオリジナルデータの送信を要求するとともに、対応する音声出力範囲表示データを前記付加データ用データベースから読み出して、前記オリジナルデータと個別に送信し、前記会員の情報端末から前記音声出力範囲のオリジナルデータを受信したときは、そのデータを音声変換するとともに、変換した音声データを前記情報端末に送信することを特徴とするサービス提供サーバ。
　　【請求項７】
　請求項１又は２記載のコンテンツ提供システムに含まれる情報端末であって、
　前記Webサイトから受信したオリジナルデータを格納する第１のバッファ手段，
　前記サービス提供サーバから受信した付加データを格納する第２のバッファ手段，
を備えており、
　前記コンテンツ処理手段は、
　前記第１及び第２のバッファ手段に格納された前記オリジナルデータ及び前記付加データを、会員の要求に対応して合成して出力するとともに、付加データに何らかの処理が施されたときは、該処理後の付加データを合成して出力するとともに、前記サービス提供サーバに送信することを特徴とする情報端末。
　　【請求項８】
　請求項３記載のコンテンツ提供システムに含まれる情報端末であって、
　前記Webサイトから受信したオリジナルデータを格納する第１のバッファ手段，
　前記サービス提供サーバから受信した前記音声出力範囲表示データを付加データとして格納する第２のバッファ手段，
　前記音声出力範囲データによって示された範囲のデータを前記オリジナルデータから抽出するデータ抽出手段，
を備えており、
　前記コンテンツ処理手段は、
　前記第１及び第２のバッファ手段に格納された前記オリジナルデータ及び前記音声出力範囲表示データを、会員の要求に対応して合成して表示するとともに、会員による音声変換の指示があったときは、前記データ抽出手段によるデータ抽出を行って、抽出されたデータを前記サービス提供サーバに送信し、前記サービス提供サーバから音声データを受信したときは、受信した音声データを前記第２のバッファ手段に格納するとともに、該音声データに基づいて音声を出力することを特徴とする情報端末。
　　【請求項９】
　前記情報端末が携帯端末であり、アプリケーションソフトウエアによって前記コンテンツ処理手段の動作を行うことを特徴とする請求項７又は８記載の情報端末。
　　【請求項１０】
　請求項７又は８記載の情報端末で実行され、前記コンテンツ処理手段として機能することを特徴とするアプリケーションプログラム。」
第４　引用文献、引用発明等
１．引用文献１について
　原査定の拒絶の理由に引用された引用文献１には、図面とともに次の事項が記載されている。
ａ）「[0021]　＜システム構成＞ 　図１は、本発明の一実施の形態である電子書籍システムの構成例の概要を示した図である。
電子書籍システム１は、電子書籍を含むコンテンツおよび電子書籍が有するテキスト情報（ユーザが付したコメントに関する情報も含む）を管理するコンテンツサーバ１００に対して、インターネット等のネットワーク１０を介して、ユーザが保有する各種の端末２０が、電子書籍を閲覧するためのソフトウェアプログラムであるビューワ２１を介して接続する構成を有
[0022]　ここで、電子書籍とは、例えば、小説やコミック等の書籍や、ニュース、記事等の出版物の内容をデジタル情報によるコンテンツとして出版したものであり、情報処理装置のディスプレイによって閲覧することができるものを指す。電子書籍のファイルフォーマットには種々のものが存在するが、本実施の形態における電子書籍は、コンテンツのデータとして、コンテンツ内の文章に係るテキスト情報を合わせて保持可能なものとする。すなわち、電子書籍としてコンテンツに係るテキスト情報を含むことが可能なものであれば、電子書籍のファイルフォーマットは特に限定されない。この
電子書籍のファイルは、コンテンツ１０１としてコンテンツサーバ１００に保持され
[0023]　ユーザが電子書籍（コンテンツ１０１）を閲覧するための情報処理装置である端末２０は、対応するビューワ２１を実行することが可能なものであれば、例えばＰＣ等（端末２０ａ）に限らず、携帯電話等（端末２０ｂ）や、電子書籍の再生専用端末（端末２０ｃ）など種々ものを利用することができる。また、本実施の形態では、ビューワ２１を使用したコンテンツ１０１の閲覧方法としては、コンテンツサーバ１００上に保持されたコンテンツ１０１をストリーミングやブラウジング等によって閲覧するものとするが、例えば、端末２０上にコンテンツ１０１をダウンロードして閲覧する形態とすることも可能である。
[0024]　コンテンツサーバ１００は、コンピュータシステムにより構成され、コンテンツ１０１およびコンテンツ１０１が有するテキスト情報を管理し、ビューワ２１によるコンテンツ１０１の閲覧サービスを提供するサーバシステムである。
このコンテンツサーバ１００は、
再生処理部１１０、認証部１２０、コメント処理部１３０
および再生支援部１５０の各部を有
また、コンテンツＤＢ１０２、会員ＤＢ１０３、コメントＤＢ１０４
の各データベースもしくはテーブルを有
[0025]　
再生処理部１１０は、ビューワ２１を介した端末２０からのコンテンツ１０１の閲覧に係る要求を受け付けるインタフェースを有し、
コンテンツ１０１を特定し再生するために用いられる、コンテンツ１０１に関する各種属性情報は、コンテンツＤＢ１０２に記録され管理され
[0026]　
認証部１２０は、端末２０のユーザが
電子書籍システム１によって提供される電子書籍サービスの会員であるか否かを会員ＤＢ１０３を参照して判定するユーザ認証を行
[0027]　
コメント処理部１３０は、
ビューワ２１を介したユーザからの要求に基づいて、コンテンツ１０１に対するコメント
の追加、更新、閲覧などの処理を行
[0028]　
コメント登録部１３１は、ユーザが閲覧しているコンテンツ１０１に対して、テキストベースのコメントを追加してコメントＤＢ１０４に登録し
[0029]　
コメント閲覧部１３２は、ビューワ２１に表示すべきコメント
を、コメントＤＢ１０４
を参照して
取得し、再生処理部１１０を介してビューワ２１に表示させ
ｂ）「[0050]　＜処理内容−基本機能＞ 　以下では、本実施の形態の電子書籍システム１における基本機能を実現する処理の内容について説明する。図７は、
コンテンツ１０１に対して追加されているコメントを閲覧する際
[0051]　端末２０から会員ＩＤを含むログイン要求を受けたコンテンツサーバ１００では、認証部１２０によって、会員ＤＢ１０３から当該ユーザのＳＮＳシステム３１に対するアカウント情報を取得して、ＳＮＳシステム３１に対するログイン認証処理を行い（Ｓ１０２）、端末２０にＳＮＳシステム３１における当該ユーザのトップページ等を表示させる（Ｓ１０３）。このＳＮＳシステム３１におけるコメントの投稿・閲覧の機能から、電子書籍システム１による電子書籍（コンテンツ１０１）およびコメントの投稿・閲覧サービスへの誘導を行うようにしてもよい。なお、図７の例ではＳＮＳシステム３１に対するログイン認証を最初に行うものとしているが、ユーザは、コンテンツ１０１を閲覧中の任意のタイミングでＳＮＳシステム３１へのログイン認証を行うことができる。
[0052]　電子書籍システム１によるコメントの閲覧サービスを利用する
ユーザは、端末２０を利用して
、電子書籍（コンテンツ１０１）の閲覧要求を行う（Ｓ１１１）
[0053]　
ユーザの閲覧要求により、端末２０は、ビューワ２１を起動し、ユーザから会員ＩＤおよび認証情報の入力を受けて、これらと閲覧対象のコンテンツ１０１の情報をコンテンツサーバ１００に送信する（Ｓ１１２）
コンテンツサーバ１００では、認証部１２０によって会員ＤＢ１０３を参照して、ユーザが会員であるか否かの認証（ユーザ認証）を行う（Ｓ１１３）
[0054]　その後、
再生処理部１１０が、コンテンツＤＢ１０２および会員ＤＢ１０３等を参照することにより、当該ユーザが対象のコンテンツ１０１を閲覧可能であるかを判定し、閲覧可能である場合は、コンテンツ１０１の内容および表示させるページの情報を取得してビューワ２１に送信する（Ｓ１１４）
ビューワ２１において送信された内容に基づいて対象のページを表示することにより（Ｓ１１５）、ユーザは対象のコンテンツ１０１のページを閲覧することができる（Ｓ１１６）
[0055]　
また、コンテンツサーバ１００では、例えばステップＳ１１４に対する並列的な処理として、コメント閲覧部１３２により、コメントＤＢ１０４から対象のコンテンツ１０１の各ページに追加されているコメントの情報を取得してビューワ２１に送信する（Ｓ１１７）
コンテンツ１０１のページを閲覧しているユーザが、コメントの閲覧要求を行った場合に（Ｓ１１８）、ビューワ２１において対象のページに対応するコメントを表示することにより（Ｓ１１９）、ユーザは対象のページ等に対して追加されたコメントを閲覧することができる（Ｓ１２０）
ｃ）「[0066]　本実施の形態では、コンテンツサーバ１００において、コメントをコンテンツ１０１と分離してコメントＤＢ１０４にテキスト情報として保持する。従って、上記のような場合でも、端末２０のプラットフォームによる相違は対応するビューワ２１が吸収するものとし、ある端末２０のビューワ２１において追加されたコメントは、他のプラットフォームの端末２０のビューワ２１においても同様に表示することが可能となる。
[0067]　図９は、
コンテンツ１０１に対してコメントを更新および追加する際
画面で対象のページに追加されたコメントを閲覧している状態で、ユーザは、自身が追加したコメントを選択してコメントの更新内容を入力し、コメントに対する更新要求を行
（Ｓ２０１）
ビューワ２１は、対象のコメントのコメントＩＤと更新内容を含む更新要求をコンテンツサーバ１００に送信する（Ｓ２０２）
コンテンツサーバ１００では、コメント登録部１３１により、コメントＤＢ１０４の対象のコメント内容を更新し、更新後のコメントの情報を取得してビューワ２１に送信する（Ｓ２０３）
ビューワ２１において送信された内容に基づいてコメントビュー等を表示することにより（Ｓ２０４）、ユーザは更新されたコメントを含むコメントビュー等を閲覧することができる（Ｓ２０５）
[0068]　また、例えば図８（ｃ）、（ｄ）に示すような画面で
対象のページに追加されたコメントを閲覧している状態で、ユーザは、コメント入力領域２３０にコメントを入力して、対象のページに対するコメントの追加を行
（Ｓ２１１）
ビューワ２１は、追加コメントの内容および対象のコンテンツ１０１やページの情報を含むコメントの追加要求をコンテンツサーバ１００に送信する（Ｓ２１２）
[0069]　
コンテンツサーバ１００では、コメント登録部１３１により、コメントの文言に不適切な文言であるＮＧワードが含まれていないか確認する（Ｓ２１３）
ＮＧワードが含まれていなければ、コメントＩＤを採番して追加コメントをコメントＤＢ１０４に登録し、登録後のコメントの情報を取得してビューワ２１に送信する（Ｓ２１４）
ビューワ２１において送信された内容に基づいてコメントビュー等を表示することにより（Ｓ２１５）、ユーザは追加されたコメントを含むコメントビュー等を閲覧することができる（Ｓ２１６）
　上記下線部及び関連箇所の記載によれば、引用文献１には、電子書籍システムとして、以下の発明（以下、「引用発明１」という。）が記載されている。
　「電子書籍システム１は、電子書籍を含むコンテンツおよび電子書籍が有するテキスト情報（ユーザが付したコメントに関する情報も含む）を管理するコンテンツサーバ１００に対して、インターネット等のネットワーク１０を介して、ユーザが保有する各種の端末２０が、電子書籍を閲覧するためのソフトウェアプログラムであるビューワ２１を介して接続する構成を有し、
　電子書籍のファイルは、コンテンツ１０１としてコンテンツサーバ１００に保持され、
　このコンテンツサーバ１００は、再生処理部１１０、認証部１２０、コメント処理部１３０および再生支援部１５０の各部を有し、また、コンテンツＤＢ１０２、会員ＤＢ１０３、コメントＤＢ１０４の各データベースもしくはテーブルを有し、
　再生処理部１１０は、ビューワ２１を介した端末２０からのコンテンツ１０１の閲覧に係る要求を受け付けるインタフェースを有し、
　コンテンツ１０１を特定し再生するために用いられる、コンテンツ１０１に関する各種属性情報は、コンテンツＤＢ１０２に記録され管理され、
　認証部１２０は、端末２０のユーザが電子書籍システム１によって提供される電子書籍サービスの会員であるか否かを会員ＤＢ１０３を参照して判定するユーザ認証を行い、
　コメント処理部１３０は、コメント登録部１３１およびコメント閲覧部１３２の各部を有し、ビューワ２１を介したユーザからの要求に基づいて、コンテンツ１０１に対するコメントの追加、更新、閲覧などの処理を行い、
　コメント登録部１３１は、ユーザが閲覧しているコンテンツ１０１に対して、テキストベースのコメントを追加してコメントＤＢ１０４に登録し、
　コメント閲覧部１３２は、ビューワ２１に表示すべきコメントを、コメントＤＢ１０４を参照して取得し、再生処理部１１０を介してビューワ２１に表示させるものであり、
　コンテンツ１０１に対して追加されているコメントを閲覧する際には、
　ユーザは、端末２０を利用して、電子書籍（コンテンツ１０１）の閲覧要求を行い（Ｓ１１１）、
　ユーザの閲覧要求により、端末２０は、ビューワ２１を起動し、ユーザから会員ＩＤおよび認証情報の入力を受けて、これらと閲覧対象のコンテンツ１０１の情報をコンテンツサーバ１００に送信し（Ｓ１１２）、
　コンテンツサーバ１００では、認証部１２０によって会員ＤＢ１０３を参照して、ユーザが会員であるか否かの認証（ユーザ認証）を行い（Ｓ１１３）、
　再生処理部１１０が、コンテンツＤＢ１０２および会員ＤＢ１０３等を参照することにより、当該ユーザが対象のコンテンツ１０１を閲覧可能であるかを判定し、閲覧可能である場合は、コンテンツ１０１の内容および表示させるページの情報を取得してビューワ２１に送信し（Ｓ１１４）、
　ビューワ２１において送信された内容に基づいて対象のページを表示することにより（Ｓ１１５）、ユーザは対象のコンテンツ１０１のページを閲覧することができ（Ｓ１１６）、
　また、コンテンツサーバ１００では、例えばステップＳ１１４に対する並列的な処理として、コメント閲覧部１３２により、コメントＤＢ１０４から対象のコンテンツ１０１の各ページに追加されているコメントの情報を取得してビューワ２１に送信し（Ｓ１１７）、
　コンテンツ１０１のページを閲覧しているユーザが、コメントの閲覧要求を行った場合に（Ｓ１１８）、ビューワ２１において対象のページに対応するコメントを表示することにより（Ｓ１１９）、ユーザは対象のページ等に対して追加されたコメントを閲覧することができ（Ｓ１２０）、
　コンテンツ１０１に対してコメントを更新および追加する際には、
　画面で対象のページに追加されたコメントを閲覧している状態で、ユーザは、自身が追加したコメントを選択してコメントの更新内容を入力し、コメントに対する更新要求を行い（Ｓ２０１）、
　ビューワ２１は、対象のコメントのコメントＩＤと更新内容を含む更新要求をコンテンツサーバ１００に送信し（Ｓ２０２）、
　コンテンツサーバ１００では、コメント登録部１３１により、コメントＤＢ１０４の対象のコメント内容を更新し、更新後のコメントの情報を取得してビューワ２１に送信し（Ｓ２０３）、
　ビューワ２１において送信された内容に基づいてコメントビュー等を表示することにより（Ｓ２０４）、ユーザは更新されたコメントを含むコメントビュー等を閲覧することができ（Ｓ２０５）、
　対象のページに追加されたコメントを閲覧している状態で、ユーザは、コメント入力領域２３０にコメントを入力して、対象のページに対するコメントの追加を行い（Ｓ２１１）、
　ビューワ２１は、追加コメントの内容および対象のコンテンツ１０１やページの情報を含むコメントの追加要求をコンテンツサーバ１００に送信し（Ｓ２１２）、
　コンテンツサーバ１００では、コメント登録部１３１により、コメントの文言に不適切な文言であるＮＧワードが含まれていないか確認し（Ｓ２１３）、ＮＧワードが含まれていなければ、コメントＩＤを採番して追加コメントをコメントＤＢ１０４に登録し、登録後のコメントの情報を取得してビューワ２１に送信し（Ｓ２１４）、
　ビューワ２１において送信された内容に基づいてコメントビュー等を表示することにより（Ｓ２１５）、ユーザは追加されたコメントを含むコメントビュー等を閲覧することができる（Ｓ２１６）
　電子書籍システム１。」
２．引用文献２について
　原査定の拒絶の理由に引用された引用文献２には、図面とともに次の事項が記載されている。
ｄ）「【００１７】
【発明の実施の形態】以下、本発明の一実施形態によるコンテンツ流通システムおよびコンテンツの流通方法を図面を参照して説明する。図１は、この発明の一実施形態によるコンテンツ流通システムとこの発明の中心的な役割を担うコンテンツ流通サーバの構成を示す概略構成図である。この図において、コンテンツ流通システムは、コンテンツの作成及び又は提供主であるコンテンツ提供者が所有するコンテンツ提供者の端末１０１と、該コンテンツ提供者の端末１０１から流通を依頼されたコンテンツを流通させるコンテンツ流通者のサーバ２０１と、コンテンツ提供者のコンテンツを記録したコンテンツ提供者のサーバ１５１と、複数のプロバイダのサーバ３０１と、該プロバイダの会員ユーザとしてユーザＩＤ、パスワード等のプロバイダ会員情報を持つユーザの端末４０１とからなる。前記コンテンツ流通者のサーバ２０１とプロバイダのサーバ３０１との間に他のプロバイダのサーバが介在しても構わない。」
ｅ）「【００２５】次に、図１におけるコンテンツ流通者のサーバ２０１について、図２を用いてさらに説明する。図２は、コンテンツ流通者のサーバ２０１の構成を示す概略ブロック図である。この図において、通信部２１１は、ネットワーク５００を介して、プロバイダのサーバ３０１と通信を行うとともに、専用線やネットワークを介して接続されるコンテンツ提供者のサーバ１５１と通信を行う。制御部２１２は、アドレス変換部２１６を有するとともに、認証機能とアクセスキー機能とを有し、装置各部の制御を行う（詳細は後述する）。
【００２６】サーバ検索データベース（以下、検索ＤＢという）２１５は、例えば、図３に示すように、コンテンツを特定するためのコンテンツＩＤとコンテンツを記憶しているサーバのコンテンツ所有サーバアドレス情報とを対応づけて記憶する。このコンテンツ所有サーバアドレス情報として記憶される情報は、コンテンツＩＤに対応するコンテンツが記憶されている場所がコンテンツ流通者のサーバ２０１の内部（内部サーバコンテンツデータベース２１７）であるか、外部サーバ（コンテンツ提供者のサーバ１５１）であるかを示す情報が含まれる。さらに、このコンテンツ所有サーバアドレス情報のうち、コンテンツの記憶場所が内部サーバコンテンツデータベース（以下、内部ＤＢという）２１７である場合、コンテンツが格納されているアドレスに関する情報が記憶される。さらに、コンテンツの記憶場所が外部サーバである場合は、コンテンツ所有サーバアドレス情報には、コンテンツが記憶されているサーバを示すドメイン名が記憶される。ここで、同じコンテンツ提供者のサーバ１５１内に複数のコンテンツが含まれる場合、サーバのドメイン名にさらに、ディレクトリ名が付加され、記憶されている。なお、本実施の形態においては、アドレス情報やコンテンツ所有サーバアドレス情報がＵＲＬ（Ｕｎｉｆｏｒｍ  Ｒｅｓｏｕｒｃｅ  Ｌｏｃａｔｏｒ）である場合について説明しているが、アドレス情報やコンテンツ所有サーバアドレス情報は、ＵＲＬに限られるものではなく、ＩＰアドレス、電話番号など、一意に特定する情報であればいずれでも良い。
【００２７】検索部２１４は、制御部２１２からユーザが取得要求をしたコンテンツの配信サーバアドレス情報が出力されるとともに、サーバの検索が指示されると、制御部２１２から出力されるＵＲＬ情報の中から、コンテンツＩＤを抽出し、抽出したコンテンツＩＤと検索ＤＢ２１５に記憶されている情報とに基づいて、コンテンツＩＤに対応するコンテンツが内部ＤＢ２１７に記憶されているか否かを検索する。また、検索部２１４は、コンテンツＩＤに対応するコンテンツが内部ＤＢ２１７に記憶されていない場合、該当するコンテンツ所有サーバアドレス情報を検索ＤＢ２１５から読み出し、読み出したコンテンツ所有サーバアドレス情報をアドレス変換部２１６に出力する。
【００２８】アドレス変換部２１６は、コンテンツ流通者のサーバ２０１からコンテンツとともにユーザの端末に送信されるコンテンツ流通者のサーバ２０１のアドレス情報以外のアドレス情報であるコンテンツ所有サーバアドレス情報を、コンテンツ流通サーバを介して通信がなされる配信サーバアドレス情報に変換する。ここでいうコンテンツ所有サーバアドレス情報とは、コンテンツの送信元を示すアドレス情報すなわち、コンテンツを記憶しているサーバのアドレス情報であり、配信サーバアドレス情報とは、コンテンツ流通サーバのアドレス情報である。また、アドレス変換部２１６は、ユーザの端末４０１からのコンテンツの取得要求に含まれるコンテンツＩＤに対応するサーバのコンテンツ所有サーバアドレス情報を検索部２１４の検索結果に基づいて、検索ＤＢ２１５から読み出し、読み出したコンテンツ所有サーバアドレス情報に基づいて、サーバにコンテンツの送信要求を行う。内部ＤＢ２１７は、コンテンツ提供者などから提供されたコンテンツを記憶する。」
ｆ）「【００３４】次に、図４のステップＳ１０からステップＳ１２における
コンテンツ流通者のサーバ２０１の動作
ユーザの端末４０１から
コンテンツに対する取得要求がなされ
【００３５】コンテンツ流通者のサーバ２０１の制御部２１２は、通信部２１１によって、ユーザの端末４０１からアクセスキーを含むアクセス情報を受信すると、受信したアクセス情報の中から、ＵＲＬ情報（配信サーバアドレス情報）とアクセスキーの情報とに分けて抽出し、一時保持する。そして、制御部２１２は、一時保持された配信サーバアドレス情報に基づいて、有償のコンテンツであるか無償のコンテンツであるかを検出する（ステップＳ２０）。この検出は、例えば、配信サーバアドレス情報が「ｈｔｔｐ：／／ｗｗｗ」で始まる場合は、無償のコンテンツであり、それ以外は、有償のコンテンツであるものとして予め設定されており、この配信サーバアドレス情報に基づいて検出される。この場合、有償のコンテンツあての配信サーバアドレス情報であることが検出される。次に、制御部２１２は、一時保持されたアクセスキーの情報に基づいて、正当性をチェック（認証）する（ステップＳ２１）。そして、当該チェックの結果、正当なアクセスキーではないことが確認されると（ステップＳ２２）、コンテンツ流通者のサーバ２０１は、ユーザの端末４０１に認証に失敗したことを通知（エラーの返答）する（ステップＳ２３）。
【００３６】一方、当該チェックの結果、正当なアクセスキーであることが確認された場合（ステップＳ２２）、検索部２１４は、制御部２１２から配信サーバアドレス情報が出力され、サーバの検索が指示されると、この配信サーバアドレス情報の中から、コンテンツＩＤ「ｃｏｎｔｅｎｔｓＡ」を抽出する。そして、このコンテンツＩＤに対応するコンテンツが内部ＤＢ２１７に記憶されているか、コンテンツ提供者のサーバ１５１かを、検索ＤＢ２１５に記憶されているコンテンツ所有サーバアドレス情報の中から検索する（ステップＳ２４）。内部ＤＢ２１７にユーザの端末４０１から取得要求がなされたコンテンツが記憶されていることが検出されると（ステップＳ２５）、検索部２１４は、このコンテンツが記憶されている内部ＤＢ２１７のコンテンツ所有サーバアドレス情報を検索ＤＢ２１５から読み出し、読み出したコンテンツ所有サーバアドレス情報を制御部２１２に出力する。制御部２１２は、検索部２１４から出力されたコンテンツ所有サーバアドレス情報に格納されているコンテンツを内部ＤＢ２１７から読み出し（ステップＳ２６）、読み出したコンテンツを通信部２１１によってユーザの端末４０１に送信する制御を行う（ステップＳ２７）。
【００３７】一方、コンテンツＩＤに
対応するコンテンツが内部ＤＢ２１７に記憶されていない場合
【００３８】
制御部２１２は、
「ｈｔｔｐ：／／ｆｅ．ｂｉｔｗａｙ．ｎｅ．ｊｐ／ｃｏｎｔｅｎｔｓＡ／ｉｎｄｅｘ．ｈｔｍｌ」
なるＵＲＬ情報のうち、
「ｆｅ．ｂｉｔｗａｙ．ｎｅ．ｊｐ／ｃｏｎｔｅｎｔｓＡ／」
なる文字列を「ｗｗｗ．ｇａｉｂｕ．ｃｏ．ｊｐ」のアドレス情報に変換し、
「ｈｔｔｐ：／／ｗｗｗ．ｇａｉｂｕ．ｃｏ．ｊｐ／ｉｎｄｅｘ．ｈｔｍｌ」
であるコンテンツ所有サーバアドレス情報として、通信部２１１によって
外部サーバであるコンテンツ提供者のサーバ１５１にアクセスする
【００３９】次いで、
制御部２１２は、コンテンツ提供者のサーバ１５１からコンテンツを取得する
「ｈｔｔｐ：／／ｗｗｗ．ｇａｉｂｕ．ｃｏ．ｊｐ／ｉｎｄｅｘ．ｈｔｍｌ」
をアドレス変換部２１６によって、
「ｈｔｔｐ：／／ｆｅ．ｂｉｔｗａｙ．ｎｅ．ｊｐ／ｃｏｎｔｅｎｔｓＡ／ｉｎｄｅｘ．ｈｔｍｌ」
のＵＲＬ情報に再度の変換を行う（ステップＳ３０）。
そして、制御部２１２は、コンテンツ提供者のサーバ１５１から取得したコンテンツ
「ｈｔｔｐ：／／ｆｅ．ｂｉｔｗａｙ．ｎｅ．ｊｐ／ｃｏｎｔｅｎｔｓＡ／ｉｎｄｅｘ．ｈｔｍｌ」
の配信サーバアドレス情報として、通信部２１１によって、
ユーザの端末４０１に送信する
第５　対比・判断
１．本願発明１について
（１）対比
　本願発明１と引用発明１とを対比する。 
ア．引用発明１は「電子書籍を含むコンテンツおよび電子書籍が有するテキスト情報（ユーザが付したコメントに関する情報も含む）を管理するコンテンツサーバ１００に対して、インターネット等のネットワーク１０を介して、ユーザが保有する各種の端末２０が、電子書籍を閲覧するためのソフトウェアプログラムであるビューワ２１を介して接続する」ものであるから、引用発明１の「端末２０」は、本願発明１の「情報端末」に、引用発明１の「コンテンツサーバ１００」は、本願発明１の「サービス提供サーバ」にそれぞれ相当し、引用発明１の「ネットワーク１０」は、本願発明１の「Webサイトから情報端末にコンテンツを提供するネットワーク」と「情報端末にコンテンツを提供するネットワーク」である点では共通し、引用発明１の「ネットワーク１０」に「コンテンツサーバ１００」が接続されていることは、本願発明１の「Webサイトから情報端末にコンテンツを提供するネットワークにサービス提供サーバが接続されて」いることと「情報端末にコンテンツを提供するネットワークにサービス提供サーバが接続されて」いる点では共通するといえる。
イ．引用発明１は「ビューワ２１に表示すべきコメント」を「テキストベースのコメントを追加してコメントＤＢ１０４に登録したり」するものであるから、引用発明１の「コンテンツサーバ１００」が「コメントＤＢ１０４の各データベースもしくはテーブルを有」することは、本願発明１の「サービス提供サーバは、」「付加データを集積した付加データ用データベース」を備えることに相当する。
ウ．引用発明１は「端末２０のユーザが電子書籍システム１によって提供される電子書籍サービスの会員であるか否かを会員ＤＢ１０３を参照して判定する」ものであるから、引用発明１の「コンテンツサーバ１００」が「会員ＤＢ１０３」の「データベースもしくはテーブルを有」することは、本願発明１の「サービス提供サーバは、」「会員データを集積した会員データ用データベース」を備えることに相当する。
エ．引用発明１は「認証部１２０は、端末２０のユーザが電子書籍システム１によって提供される電子書籍サービスの会員であるか否かを会員ＤＢ１０３を参照して判定するユーザ認証を行い」、「コメント処理部１３０は、コメント登録部１３１およびコメント閲覧部１３２の各部を有し、ビューワ２１を介したユーザからの要求に基づいて、コンテンツ１０１に対するコメントの追加、更新、閲覧などの処理を行い」、「コメント登録部１３１は、ユーザが閲覧しているコンテンツ１０１に対して、テキストベースのコメントを追加してコメントＤＢ１０４に登録し」、「コメント閲覧部１３２は、ビューワ２１に表示すべきコメントを、コメントＤＢ１０４を参照して取得」するものであるから、引用発明１の「コンテンツサーバ１００」が「認証部１２０」、「コメント登録部１３１」および「コメント閲覧部１３２」を有する「コメント処理部１３０」を有することは、本願発明１の「サービス提供サーバは、」「前記各データベースにおける情報の読み出し，書き込みの管理を行う情報管理手段」を備えることに相当する。
オ．引用発明１は「ユーザは、端末２０を利用して、電子書籍（コンテンツ１０１）の閲覧要求を行い（Ｓ１１１）、」「コンテンツサーバ１００では、」「当該ユーザが対象のコンテンツ１０１を閲覧可能であるかを判定し、閲覧可能である場合は、コンテンツ１０１の内容および表示させるページの情報を取得してビューワ２１に送信し（Ｓ１１４）、」「また、コンテンツサーバ１００では、例えばステップＳ１１４に対する並列的な処理として、コメント閲覧部１３２により、コメントＤＢ１０４から対象のコンテンツ１０１の各ページに追加されているコメントの情報を取得してビューワ２１に送信（Ｓ１１７）」するものである。
　引用発明１の「コメント閲覧部１３２」がＳ１１４に対する並列的な処理としてＳ１１７を行うことは、本願発明１の「前記情報管理手段は、」「前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して、前記オリジナルデータと個別に送信」することと「前記情報管理手段は、」「前記会員の情報端末から要求があったときは、コンテンツのオリジナルデータに対応する付加データを前記付加データ用データベースから読み出して、前記オリジナルデータと個別に送信」する点では共通するといえる。
カ．引用発明１は「ビューワ２１は、追加コメントの内容および対象のコンテンツ１０１やページの情報を含むコメントの追加要求をコンテンツサーバ１００に送信し（Ｓ２１２）」、「コンテンツサーバ１００では、コメント登録部１３１により、」「コメントＩＤを採番して追加コメントをコメントＤＢ１０４に登録」するものである。
　引用発明１の「コメント登録部１３１」が「ビューワ２１」から送信された「追加コメント」を「コメントＤＢ１０４」に登録することは、本願発明１の「前記情報管理手段は、」「前記会員の情報端末から付加データを受信したときは、それを前記付加データ用データベースに保存」することに相当する。
キ．引用発明１は「コンテンツサーバ１００」の「再生処理部１１０」が、「コンテンツ１０１の内容および表示させるページの情報を取得してビューワ２１に送信し（Ｓ１１４）」、「端末２０」の「ビューワ２１において送信された内容に基づいて対象のページを表示することにより（Ｓ１１５）、ユーザは対象のコンテンツ１０１のページを閲覧することができ（Ｓ１１６）」、また、「コンテンツサーバ１００」では、「コメント閲覧部１３２により、コメントＤＢ１０４から対象のコンテンツ１０１の各ページに追加されているコメントの情報を取得してビューワ２１に送信し（Ｓ１１７）」、「コンテンツ１０１のページを閲覧しているユーザが、コメントの閲覧要求を行った場合に（Ｓ１１８）、ビューワ２１において対象のページに対応するコメントを表示することにより（Ｓ１１９）、ユーザは対象のページ等に対して追加されたコメントを閲覧することができ（Ｓ１２０）」るものであるから、「端末２０」の「ビューワ２１」は、「コンテンツ１０１の内容および表示させるページの情報」と「対象のコンテンツ１０１の各ページに追加されているコメントの情報」に基づいて、「ユーザが、コメントの閲覧要求を行った場合に」、「対象のページに対応するコメントを表示することにより」、「対象のページ等に対して追加されたコメントを閲覧することができ」るものである。
　そして、「対象のページに対応するコメントを表示する」ために、「端末２０」が「コンテンツ１０１の内容および表示させるページの情報」と「対象のコンテンツ１０１の各ページに追加されているコメントの情報」を合成して出力する処理を行う手段を有する必要があることは明らかである。
　したがって、引用発明１の「端末２０」が上記処理を行う手段を有することは、本願発明１の「前記情報端末は、」「前記Webサイトから受信した前記オリジナルデータ及び前記サービス提供サーバから受信した前記付加データを、会員の要求に対応して合成して出力する」「コンテンツ処理手段」を備えることと「前記情報端末は、」「前記オリジナルデータ及び前記サービス提供サーバから受信した前記付加データを、会員の要求に対応して合成して出力する」「コンテンツ処理手段」を備える点では共通するといえる。
ク．引用発明１は「端末２０」の「ビューワ２１は、対象のコメントのコメントＩＤと更新内容を含む更新要求をコンテンツサーバ１００に送信し（Ｓ２０２）」、「コンテンツサーバ１００では、コメント登録部１３１により、コメントＤＢ１０４の対象のコメント内容を更新し、更新後のコメントの情報を取得してビューワ２１に送信し（Ｓ２０３）」、「ビューワ２１において送信された内容に基づいてコメントビュー等を表示することにより（Ｓ２０４）、ユーザは更新されたコメントを含むコメントビュー等を閲覧することができる（Ｓ２０５）」ものである。
　そして、引用発明１の「端末２０」は、対象のページに対応するコメントを表示することにより、対象のページ等に対して更新されたコメントを閲覧することができるものであり、その場合、「コンテンツ１０１の内容および表示させるページの情報」と「更新後のコメントの情報」を合成して出力する処理を行う手段を有する必要があることは明らかである。
　したがって、引用発明１の「端末２０」が上記処理を行う手段を有するとともに、「端末２０」の「ビューワ２１は、対象のコメントのコメントＩＤと更新内容を含む更新要求をコンテンツサーバ１００に送信」することは、本願発明１の「前記情報端末は、」「付加データに何らかの処理が施されたときは、該処理後の付加データを合成して出力するとともに、前記サービス提供サーバに送信するコンテンツ処理手段」を備えることに相当する。
ケ．引用発明１の「電子書籍システム１」は「コンテンツ提供システム」ともいい得るものである。
　したがって、両者は以下の一致点と相違点とを有する。 
　
〈一致点〉
「情報端末にコンテンツを提供するネットワークにサービス提供サーバが接続されており、
　前記サービス提供サーバは、
　付加データを集積した付加データ用データベース，
　会員データを集積した会員データ用データベース，
　前記各データベースにおける情報の読み出し，書き込みの管理を行う情報管理手段，
を備えており、
　前記情報管理手段は、
　前記会員の情報端末から要求があったときは、コンテンツのオリジナルデータに対応する付加データを前記付加データ用データベースから読み出して、前記オリジナルデータと個別に送信し、前記会員の情報端末から付加データを受信したときは、それを前記付加データ用データベースに保存し、
　前記情報端末は、
　前記オリジナルデータ及び前記サービス提供サーバから受信した前記付加データを、会員の要求に対応して合成して出力するとともに、付加データに何らかの処理が施されたときは、該処理後の付加データを合成して出力するとともに、前記サービス提供サーバに送信するコンテンツ処理手段，
を備えたことを特徴とするコンテンツ提供システム。」
〈相違点１〉
　本願発明１は、「Webサイトから情報端末に提供コンテンツを提供する」ものであるのに対し、引用発明１では、「コンテンツ」は「コンテンツサーバ１００」の「コンテンツＤＢ１０２」に記録され、「コンテンツサーバ１００」から「端末２０」に提供されるものである点。
〈相違点２〉
　本願発明１の「サービス提供サーバ」は「Webサイトとコンテンツとの対応関係を示す管理データ用データベース」を備えるものであるのに対し、引用発明１の「コンテンツサーバ１００」は「コンテンツＤＢ１０２」を備えるものであり、「Webサイトとコンテンツとの対応関係を示す管理データ用データベース」を備えるものではない点。
〈相違点３〉
　本願発明１の「情報管理手段」は、「前記管理データ用データベースを参照して、該当するWebサイトに該当するコンテンツのオリジナルデータの送信を要求する」ものであるのに対し、引用発明１の「再生処理部１１０」は、「コンテンツＤＢ１０２」を参照することにより、「コンテンツ１０１」の内容および表示させるページの情報を取得するものである点。
〈相違点４〉
　本願発明１の「情報端末」は「コンテンツのオリジナルデータ」を「Webサイトから受信」するものであるのに対し、引用発明１の「端末２０」は「コンテンツ１０１の内容および表示させるページの情報」を「コンテンツサーバ１００」から受信するものである点。
（２）相違点１，３，４についての判断
　事案に鑑みて、上記相違１，３，４について検討する。
　上記「第４」の「２．」に摘記されるように、引用文献２には、「コンテンツ流通者のサーバ２０１」が「ユーザ端末４０１」からコンテンツに対する取得要求がなされ、対応するコンテンツが「内部ＤＢ２１７」に記憶されていない場合、「コンテンツ流通者のサーバ２０１」の「制御部２１２」は、外部サーバである「コンテンツ提供者のサーバ２１１」にアクセスし、「コンテンツ提供者のサーバ２１１」からコンテンツを取得し、「ユーザの端末４０１」に送信する技術が記載されている。
　しかしながら、引用文献２に記載された技術は、「コンテンツ提供者のサーバ２１１」（本願発明１の「Webサイト」に相当。）から「コンテンツ流通者のサーバ２０１」（本願発明１の「サービス提供サーバ」に相当。）がコンテンツを取得した後、「コンテンツ流通者のサーバ２０１」から「ユーザの端末４０１」（本願発明１の「情報端末」に相当。）にコンテンツを送信するものであり、コンテンツが「Webサイト」から「情報端末」に提供されるものではないから、相違点１に係る本願発明１の「Webサイトから情報端末に提供コンテンツを提供する」という構成、相違点３に係る本願発明１の「Webサイトに該当するコンテンツのオリジナルデータの送信を要求する」という構成、相違点４に係る本願発明１の「情報端末」は「コンテンツのオリジナルデータ」を「Webサイトから受信」するという構成は、上記引用文献２には記載されていない。
　また、上記相違点１，３，４に係る本願発明１の構成は、本願出願前において周知技術であるともいえない。
　したがって本願発明１は、その他の相違点を検討するまでもなく、当業者であっても引用発明１、引用文献２に記載された技術的事項に基づいて容易に発明できたものであるとはいえない。
２．請求項２について
　本願発明２は、本願発明１の上記相違点１〜４に係る構成と同様の構成を有するものであり、上記「１．請求項１について」にて述べたのと同様の理由により、引用発明１及び引用文献２に記載された技術的事項に基づいて容易に発明できたものであるとはいえない。
３．請求項３〜１０について
　本願発明３〜１０は、本願発明１または本願発明２を直接または間接的に引用するものであり、上記「１．請求項１について」にて述べたのと同様の理由により、引用発明１及び引用文献２に記載された技術的事項に基づいて容易に発明できたものであるとはいえない。
第６　原査定について
　本願発明１〜１０は「Webサイトから情報端末に提供コンテンツを提供する」ものであり、拒絶査定において引用された引用文献１〜２に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。